(57)【要約】【課題】配備する空気調和機の配置を効率良く提示する。【解決手段】空気調和機の配置提示システム（２０）は、建物の平面図から建物内の所定エリアに配備する空気調和機の配置を提示する。空気調和機の配置提示システム（２０）は、決定部（２１）と、提示部（２３）と、を備える。決定部（２１）は、平面図から、空気調和機の必要なエリアを決定する。提示部（２３）は、平面図から取得したエリアに関する情報に基づいて、エリアに配備する空気調和機の配置を提示する。【選択図】図１
2020194353.tif 000002
【特許請求の範囲】
【請求項１】
建物の平面図から建物内の所定エリアに配備する空気調和機の配置を提示する空気調和機の配置提示システム（２０）であって、
前記平面図から、空気調和機の必要なエリアを決定する決定部（２１）と、
前記平面図から取得した前記エリアに関する情報に基づいて、前記エリアに配備する空気調和機の配置を提示する提示部（２３）と、
を備える、空気調和機の配置提示システム。
【請求項２】
複数の空気調和機の構成に関するリストを記憶する記憶部（２２）をさらに備え、
前記提示部（２３）は、前記記憶部（２２）から前記リストを読み出して、さらに前記リストから選択された空気調和機の配置を提示する、請求項１に記載の空気調和機の配置提示システム。
【請求項３】
前記リストは、前記所定エリアの過去の空気調和機に関する構成と、提示する空気調和機に関する構成と、を有し、
前記提示部（２３）は、前記過去の空気調和機に関する構成から、前記提示する空気調和機の台数を算出し、算出された台数に基づいて空気調和機の配置を提示する、請求項２に記載の配置提示システム。
【請求項４】
前記リストは、空気調和機の設置距離に関する情報を有し、
前記提示部（２３）は、前記設置距離に基づいて、空気調和機の配置を提示する、請求項１〜３のいずれか１項に記載の空気調和機の配置提示システム。
【請求項５】
前記決定部（２１）は、前記エリアに関する情報として前記平面図から部屋名を読み取り、
部屋名に基づいて前記エリアの熱負荷を演算する演算部（１５）をさらに備え、
前記提示部（２３）は、演算された熱負荷に基づいて空気調和機の配置を提示する、請求項１〜４のいずれか１項に記載の空気調和機の配置提示システム。
【請求項６】
前記決定部（２１）は、建物の駆体情報を取得し、
前記躯体情報に基づいて前記エリアの熱負荷を演算する演算部（１５）をさらに備え、
前記提示部（２３）は、演算された熱負荷及び前記エリアに関する情報に基づいて空気調和機の配置を提示する、請求項１〜５のいずれか１項に記載の空調の配置提示システム。
【請求項７】
前記決定部（２１）は、建物の立面図及び建物の矩計図の少なくとも一方から前記エリアに関する情報をさらに取得し、
前記提示部（２１）は、前記エリアに関する情報に基づいて空気調和機の配置を提示する、請求項１〜６のいずれか１項に記載の空気調和機の配置提示システム。
【請求項８】
前記提示部（２３）は、前記平面図の名称と部屋名とを関連付けて、前記エリアに配備する空気調和機の配置を提示する、請求項１〜７のいずれか１項に記載の空気調和機の配置提示システム。
【請求項９】
前記平面図を画像データに変換する変換部（１１）と、
前記画像データから線及び文字の少なくとも一方の情報を抽出する抽出部（１２）と、
抽出された情報から部屋名及びオブジェクトの少なくとも一方を識別して、識別結果から建物内の所定エリアが空気調和機の必要なエリアか否かを判断する判断部（１４）と、
をさらに備え、
前記決定部（２１）は、前記判断部（１４）で空気調和機の必要なエリアと判断されたエリアを、前記エリアと決定する、請求項１〜８のいずれか1項に記載の空気調和機の配置提示システム。
【請求項１０】
前記抽出部（１２）は、前記エリアの寸法情報を、前記情報として抽出し、
前記寸法情報から前記エリアの面積及び熱負荷を演算する演算部（１５）をさらに備える、請求項９に記載の空気調和機の配置提示システム。
【請求項１１】
演算された熱負荷から、空気調和機の必要容量を算出する算出部（１６）をさらに備え、
前記提示部（２３）は、さらに算出された必要容量に基づいて、空気調和機の配置を提示する、請求項１０に記載の空気調和機要否判断システム。
【発明の詳細な説明】
【技術分野】
【０００１】
空気調和機の配置提示システムに関する。
【背景技術】
【０００２】
特許文献１（特開２０１４−１０７３２号）に開示されているように、建築ＣＡＤ上において、平面図データおよび立面図データに基づいて、空調ゾーンと非空調ゾーンとを自動的に大別する空調設計方法が知られている。
【発明の概要】
【発明が解決しようとする課題】
【０００３】
しかしながら、上記特許文献１には、空調ゾーンが特定されても、空調ゾーンの各エリアに空気調和機をどのように配備するかは、開示されていない。手作業で空調ゾーンの各エリアに配備する空気調和機を設計すると、効率が悪い。
【課題を解決するための手段】
【０００４】
第１観点に係る空気調和機の配置提示システムは、建物の平面図から建物内の所定エリアに配備する空気調和機の配置を提示する。空気調和機の配置提示システムは、決定部と提示部と、を備える。決定部は、平面図から、空気調和機の必要なエリアを決定する。提示部は、平面図から取得したエリアに関する情報に基づいて、エリアに配備する空気調和機の配置を提示する。
【０００５】
第１観点に係る空気調和機の配置提示システムでは、建物の平面図から、空気調和機の必要なエリアに関する情報を取得する。この情報に基づいて、所定エリアに配備する空気調和機を配置できる。したがって、建物の平面図から建物内の所定エリアに配備する空気調和機を効率良く提示できる。
【０００６】
第２観点に係る空気調和機の配置提示システムは、第１観点の空気調和機の配置提示システムであって、複数の空気調和機の構成に関するリストを記憶する記憶部をさらに備える。
【０００７】
第２観点に係る空気調和機の配置提示システムでは、リストの中から所定エリアに配備する空気調和機を選択することができる。したがって、所定エリアに配備する空気調和機をより効率良く提示できる。
【０００８】
第３観点の空気調和機の配置提示システムは、第２観点の空気調和機の配置提示システムであって、リストは、所定エリアの過去の空気調和機に関する構成と、提示する空気調和機に関する構成と、を有する。提示部は、過去の空気調和機に関する構成から、提示する空気調和機の台数を算出し、算出された台数に基づいて空気調和機の配置を提示する。
【０００９】
第３観点の空気調和機の配置提示システムでは、過去の空気調和機に関する情報から、そのエリアに過去に設置されていた空気調和機の形、馬力、台数等が分かるので、その情報に基づいて設置する空気調和機の必要容量が算出できる。このため、新たに提示する空気調和機のリストの中から、例えば形を選択すると、必要な空気調和機の馬力及び台数が算出される。したがって、所定エリアの熱負荷を演算しなくても、新たな空気調和機の台数などを提示することができる。
【００１０】
第４観点の空気調和機の配置提示システムは、第１観点から第３観点のいずれかの空気調和機の配置提示システムであって、リストは、空気調和機の設置距離に関する情報を有する。提示部は、設置距離に基づいて、空気調和機の配置を提示する。
【００１１】
第４観点の空気調和機の配置提示システムでは、空気調和機の設置距離を考慮して、所定エリアに配備する空気調和機を提示できる。
【００１２】
第５観点の空気調和機の配置提示システムは、第１観点から第４観点のいずれかの空気調和機の配置提示システムであって、決定部は、エリアに関する情報として平面図から部屋名を読み取る。空気調和機の配置提示システムは、部屋名に基づいてエリアの熱負荷を演算する演算部をさらに備える。提示部は、演算された熱負荷に基づいて空気調和機の配置を提示する。
【００１３】
第５観点の空気調和機の配置提示システムでは、部屋名から演算された熱負荷に基づいて、空気調和機の配置を提示できる。このため、提示の精度を向上できる。
【００１４】
第６観点の空気調和機の配置提示システムは、第１観点から第５観点のいずれかの空気調和機の配置提示システムであって、決定部は、建物の駆体情報を取得する。配置提示システムは、躯体情報に基づいてエリアの熱負荷を演算する演算部をさらに備える。提示部は、演算された熱負荷及びエリアに関する情報に基づいて空気調和機の配置を提示する。
【００１５】
第６観点の空気調和機の配置提示システムでは、躯体情報から演算された熱負荷に基づいて、空気調和機の配置を提示できる。このため、提示の精度を向上できる。
【００１６】
第７観点の空気調和機の配置提示システムは、第１観点から第６観点のいずれかの空気調和機の配置提示システムであって、決定部は、建物の立面図及び建物の矩計図の少なくとも一方からエリアに関する情報をさらに取得する。提示部は、エリアに関する情報に基づいて空気調和機の配置を提示する。
【００１７】
第７観点の空気調和機の配置提示システムでは、建物の立面図及び建物の矩計図の少なくとも一方からエリアに関する情報を取得する。このため、配置の精度を向上できる。
【００１８】
第８観点の空気調和機の配置提示システムは、第１観点から第７観点のいずれかの空気調和機の配置提示システムであって、提示部は、平面図の名称と部屋名とを関連付けて、エリアに配備する空気調和機の配置を提示する。
【００１９】
第８観点の空気調和機の配置提示システムでは、平面図の名称から所定エリアのフロア情報などを取得できる。この情報と部屋名とを関連付けることにより、配置の精度を向上できる。
【００２０】
第９観点の空気調和機の配置提示システムは、第１観点から第８観点のいずれかの空気調和機の配置提示システムであって、変換部と、抽出部と、判断部と、をさらに備える。変換部は、平面図を画像データに変換する。抽出部は、画像データから線及び文字の少なくとも一方の情報を抽出する。判断部は、抽出された情報から部屋名及びオブジェクトの少なくとも一方を識別して、識別結果から建物内の所定エリアが空気調和機の必要なエリアか否かを判断する。決定部は、判断部で空気調和機の必要なエリアと判断されたエリアを、エリアと決定する。
【００２１】
第９観点の空気調和機の配置提示システムでは、平面図を画像データに変換することにより、建物内の所定エリアが空気調和機の必要なエリアか否かを判断するために必要なデータを抽出することができる。したがって、建物の平面図から建物内の所定エリアが空気調和機の必要なエリアか否かを効率良く判断できる。
【００２２】
第１０観点の空気調和機の配置提示システムは、第９観点の空気調和機の配置提示システムであって、抽出部は、空気調和機の必要なエリアの寸法情報を、情報として抽出する。空気調和機の配置提示システムは、寸法情報からエリアの面積及び熱負荷を演算する演算部をさらに備える。
【００２３】
第１０観点の空気調和機の配置提示システムでは、抽出部が寸法情報を抽出するので、演算部により、所定エリアの面積及び熱負荷を演算できる。このため、所定エリアの熱負荷を精度良く取得できる。
【００２４】
第１１観点の空気調和機の配置提示システムは、第１０観点の空気調和機の配置提示システムであって、演算された熱負荷から、空気調和機の必要容量を算出する算出部をさらに備える。提示部は、さらに算出された必要容量に基づいて、空気調和機の配置を提示する。
【００２５】
第１１観点の空気調和機の配置提示システムでは、算出部により、空気調和機の必要容量を取得できる。このため、所定エリアに配置する空気調和機を選択できるので、効率を向上できる。
【図面の簡単な説明】
【００２６】
【図１】本開示の一実施形態に係るシステムの機能ブロック図である。
【図２】本開示の紙図面の一例である。
【図３】本開示の第１情報の一例である。
【図４】本開示の第２情報の一例である。
【図５】本開示のリストの一例である。
【図６】本開示のリストの一例である。
【図７】本開示の提示する空気調和機の配置の一例である。
【図８】本開示の提示する空気調和機の配置の一例である。
【図９】本開示の提示する空気調和機の配置の一例である。
【図１０】本開示の一実施形態に係る空気調和機の要否判断方法及び配置提示方法を示すフローチャートである。
【図１１】本開示の一実施形態に係る空気調和機の配置提示方法を示すフローチャートである。
【発明を実施するための形態】
【００２７】
本開示の一実施形態に係る空気調和機の要否判断システム及び空気調和機の配置提示システムについて、図面を参照しながら説明する。
【００２８】
（１）全体構成
本開示の一実施形態に係る空気調和機の要否判断システム１０（以下、要否判断システムとも言う）は、建物の平面図から建物内の所定エリアが空気調和機の必要なエリアか否かを判断する。図１に示すように、要否判断システム１０は、変換部１１と、抽出部１２と、第１記憶部１３と、判断部１４と、演算部１５と、算出部１６と、を備えている。
【００２９】
本開示の一実施形態に係る空気調和機の配置提示システム２０（以下、配置提示システムとも言う）は、建物の平面図から建物内の所定エリアに配備する空気調和機の配置を提示する。配置提示システム２０は、決定部２１と、第２記憶部２２と、提示部２３と、変換部１１と、抽出部１２と、判断部１４と、演算部１５、算出部１６と、を備えている。
【００３０】
要否判断システム１０と配置提示システム２０とを備えるシステム１は、建物の平面図から建物内の所定エリアが空気調和機の必要なエリアか否かを判断し、空気調和機の必要なエリアに配備する空気調和機の配置を提示する。なお、要否判断システム１０及び配置提示システム２０の変換部１１、抽出部１２、判断部１４、演算部１５、算出部１６などは、共通している。システム１、要否判断システム１０及び配置提示システム２０の少なくとも１つは、ユーザがアクセス可能なサーバに搭載される。
【００３１】
システム１の制御部は、各種演算及び処理を行う制御部と、各種データ及びプログラムを記憶する記憶部と、を含む。制御部は、例えば、ＣＰＵ（Central Processing Unit）、ＧＰＵ（Graphics Processing Unit）などの演算処理装置により実現される。記憶部は、例えば、ＲＡＭ、ＲＯＭなどにより実現される。
【００３２】
（２）詳細構成
（２−１）変換部
変換部１１は、平面図を画像データに変換する。平面図は、建物内の所定エリアを示す図面である。詳細には、建物の平面図は、各階の形状、床面積等を示す各階平面図である。平面図は、紙図面であってもよく、ＣＡＤデータであってもよい。ここでは、紙図面である平面図を用いる場合を例として説明する。
【００３３】
画像データに変換する図面は、平面図のみであってもよく、平面図に加えて別の図面をさらに画像データに変換してもよい。例えば、矩計図、立面図をさらに画像データに変換してもよい。矩計図は、建物を切断して基礎から軒先までの納まり、寸法等を示す断面詳細図である。立面図は、建物の外観を表す図面である。
【００３４】
本実施形態の変換部は、図２に示す平面図の必要な領域を画像データとして読み取る。画像データをＰＤＦデータに変換してもよい。
【００３５】
（２−２）抽出部
抽出部１２は、変換部１１で変換した画像データから、線及び文字の少なくとも一方の情報を抽出する。抽出部１２は、情報として線を抽出することにより、所定エリアを画定できる。抽出部１２は、画像データの線から、線種を区別する。線種とは、寸法線、部屋等を区切る線などの線の種類である。例えば、紙図面において、寸法線は一点鎖線で示され、壁は実線で示されている。
【００３６】
抽出部１２は、情報として文字を抽出する。文字は数値を含む。抽出部１２は、画像データの文字から、所定エリアの寸法情報を、情報として抽出する。寸法情報は、所定エリアの面積を演算するためのものである。
【００３７】
また抽出部１２は、平面図の画像データの文字から、情報として、フロアを識別するフロア情報を抽出する。フロア情報とは、所定エリアのフロアを識別する情報であって、例えば１階、２階などの情報である。
【００３８】
また抽出部１２は、画像データの線から、情報として、窓に関する窓情報を抽出する。窓情報とは、所定エリアの窓に関する情報であって、例えば窓の有無などの情報である。
【００３９】
抽出部１２が抽出する情報を、図２を参照して例を挙げる。図２の紙図面を変換した画像データにおいて、抽出部１２は、領域Ｒ１の部屋名である貸事務所という文字を抽出する。また、抽出部１２は、領域Ｒ２の壁を構成する実線を抽出する。また、抽出部１２は、領域Ｒ３のドアを構成する直線及び曲線を抽出する。また、抽出部１２は、領域Ｒ４の窓を構成する直線及び曲線を抽出する。また、抽出部１２は、領域Ｒ５の寸法情報である８２５０という文字を抽出する。また、抽出部１２は、領域Ｒ６の各スペースを示すＰＳ、ＥＰＳ、及びＤＳという文字を抽出する。
【００４０】
なお、抽出部１２は、人工知能（ＡＩ：artificial intelligence）を利用してもよい。この場合、文字、数値、オブジェクト、線種などを識別することができる学習済みのものを用いる。学習の手法は、例えば教師あり学習である。教師あり学習で用いられるモデルまたはアルゴリズムとしては、回帰分析、時系列分析、決定木、サポートベクターマシン、ニューラルネットワーク、アンサンブル学習等が挙げられる。
【００４１】
（２−３）第１記憶部
第１記憶部１３は、第１情報及び第２情報を記憶する。第１情報は、部屋名と空気調和機の要否とが関連付けられている。第１情報は、例えば図３に示すように、複数の部屋名と、各部屋名に基づく空気調和機の要否とが挙げられたリストである。
【００４２】
第２情報は、部屋名と熱負荷レベルとが関連付けられている。第２情報は、図４に示すように、複数の部屋名と、その部屋名から熱負荷レベルとが挙げられたリストである。熱負荷の高低に関するレベルは、熱負荷が相対的に高いか低いかの基準を示すものであり、図４のように高いか低いかを示してもよく、評価された数値を示してもよい。
【００４３】
（２−４）判断部
判断部１４は、抽出部１２で抽出した情報から部屋名及びオブジェクトの少なくとも一方を識別して、識別結果から建物内の所定エリアが空気調和機の必要なエリアか否かを判断する。
【００４４】
具体的には、判断部１４は、抽出部１２で抽出した文字の情報から部屋名を識別して、識別結果から建物内の所定エリアが空気調和機の必要なエリアか否かを判断する。また、判断部１４は、抽出部１２で抽出した線の情報からオブジェクトを識別して、識別結果から建物内の所定エリアが空気調和機の必要なエリアか否かを判断する。また、判断部１４は、抽出部１２で抽出した線の情報から部屋名を識別して、識別結果から建物内の所定エリアが空気調和機の必要なエリアか否かを判断する。また、判断部１４は、抽出部１２で抽出した文字の情報及び線の情報から部屋名を識別して、識別結果から建物内の所定エリアが空気調和機の必要なエリアか否かを判断する。
【００４５】
ここで、オブジェクトとは、所定エリアを認識するためのものである。詳細には、オブジェクトは、所定エリアの境界を識別するためのもの、及び／または、所定エリアの熱負荷を演算するためのものである。具体例を挙げると、オブジェクトは、ドア、柱、梁、エレベータ、エレベータホール、椅子、机、給湯装置、エントランス、窓、壁及びトイレの少なくとも１つである。
【００４６】
判断部１４は、オブジェクトを識別して、識別されたオブジェクトから、建物内の所定エリアが空気調和機の必要なエリアか否かを判断してもよい。また判断部１４は、オブジェクトから識別結果として部屋名を取得して、建物内の所定エリアが空気調和機の必要なエリアか否かを判断してもよい。
【００４７】
識別されたオブジェクトから空気調和機の必要か否かを判断する例を挙げる。オブジェクトとして給湯装置が識別されると、判断部１４は、給湯装置は熱負荷が大きいので、空気調和機が必要なエリアと判断する。
【００４８】
オブジェクトから識別結果として部屋名を取得する例を挙げる。オブジェクトとして、机及び椅子が識別されると、所定エリアは会議室、事務室などの居室という識別結果を取得する。オブジェクトとして便器が識別されると、所定エリアはトイレという識別結果を取得する。オブジェクトとして階段が識別されると、所定エリアは階段室という識別結果を取得する。オブジェクトとしてエレベータが識別されると、所定エリアはエレベータという識別結果を取得する。オブジェクトとしてエレベータが識別されると、エレベータ前の所定エリアはエレベータホールであるという識別結果を取得する。オブジェクトとして、湯沸かし器が識別されると、所定エリアは給湯室という識別結果を取得する。
【００４９】
判断部１４は、線種及び寸法値の少なくとも一方に基づいて、部屋の区切と寸法線とを区別して所定エリアを画定する。例えば図２の紙図面を変換した画像データにおいて、領域Ｒ２は壁であり、領域Ｒ３はドアであることを考慮して、所定エリアを画定する。画定したエリアについて、判断部１４は空気調和機の要否を判断する。
【００５０】
判断部１４は、識別結果としての部屋名から空気調和機が必要か否かの判断が難しいときに、別の識別結果を用いてもよい。具体的には、オブジェクトとして窓に関する窓情報を識別する。この場合、判断部１４は、所定エリアの部屋名及び窓情報を識別して、空気調和機の必要なエリアか否かを判断する。部屋名から空気調和機が必要か否かの判断が難しいときに、例えば、窓が有れば空気調和機が不要なエリアと判断し、窓が無ければ空気調和機が必要なエリアと判断する。
【００５１】
また、判断部は、識別結果としての部屋名から空気調和機が必要か否かの判断が難しいときに、第１記憶部１３に格納された第１情報を用いてもよい。具体的には、判断部１４は、第１記憶部１３から第１情報を読み出して、第１情報に基づいて識別した部屋名から空気調和機の必要なエリアか否かを判断する。
【００５２】
本実施形態の判断部１４は、フロア情報と部屋名とを関連付けて、空気調和機の必要なエリアか否かを判断する。例えば、抽出部１２において、文字として「１階平面図」などのフロア情報と、「会議室」などの部屋名と、を抽出できる場合には、判断部１４は、１階会議室が空気調和機の必要なエリアか否かを判断する。抽出部１２でフロア情報を抽出できると、同じ部屋名であっても、１階か高層階かを考慮して、空気調和機の要否を判断できる。
【００５３】
建物の改修などの更新物件の場合、過去（更新前）の空気調和機に関する情報を利用してもよい。具体的には、判断部１４は、オブジェクトとして空気調和機を識別して、識別結果から建物内の所定エリアが空気調和機の必要なエリアか否かを判断する。更新物件の場合、判断部１４は、過去の同じエリアに空気調和機があったことを識別すると、更新後も空気調和機が必要であると判断する。また判断部１４は、過去の同じエリアに空気調和機がなかったことを識別すると、更新後も空気調和機が不要であると判断する。
【００５４】
ここで、判断部１４が識別結果として部屋名を取得した場合に、建物内の所定エリアが空気調和機の必要なエリアか否かを判断する例を挙げる。所定エリアが会議室、事務室などの居室という識別結果の場合には、判断部１４は、部屋名から空気調和機の必要なエリアであると判断する。所定エリアが階段室、エレベータ（ＥＶ）、パイプスペース（ＰＳ）、エレクトリックパイプスペース（ＥＰＳ）、エレクトリックスペース（ＥＳ）またはダクトスペース（ＤＳ）であるという識別結果の場合には、判断部１４は、部屋名から空気調和機が不要なエリアであると判断する。所定エリアがトイレ、エレベータホール及び給湯室の場合には、判断部１４は、部屋名のみから空気調和機が必要か否かの判断をしない。この場合、判断部１４は、例えば、第１記憶部１３から部屋名と空気調和機の要否とがリストアップされた第１情報を読み出して、第１情報に基づいて空気調和機が必要か否かを判断する。
【００５５】
（２−５）決定部
決定部２１は、判断部１４で空気調和機の必要なエリアと判断されたエリアを、空気調和機の必要なエリアと決定する。
【００５６】
決定部２１は、後述する提示部２３で所定エリアに配備する空気調和機の配置を提示するために、平面図からエリアに関する情報を取得する。エリアに関する情報とは、エリアの面積、部屋名などである。エリアに関する情報は、抽出部１２及び判断部１４から取得してもよい。
【００５７】
また、決定部２１は、建物の躯体情報を取得する。躯体情報は、抽出部１２で抽出された情報から取得される。躯体情報は、例えば、壁、ガラスなどの厚み、窓の有無などである。躯体情報は、抽出部１２で抽出された情報から取得される。
【００５８】
決定部２１は、建物の立面図及び建物の矩計図の少なくとも一方から所定エリアに関する情報をさらに取得する。本実施形態では、立面図及び矩計図の少なくとも一方を変換部１１が画像データに変換し、画像データから線及び文字の少なくとも一方の情報を抽出部１２が抽出することにより、決定部２１は所定エリアの情報をさらに取得する。
【００５９】
なお、決定部２１は、平面図から所定エリアに関する情報を取得しているが、これに限定されない。決定部２１を介さずに、後述する提示部２３が所定エリアに関する情報を抽出部１２等から取得してもよい。
【００６０】
（２−６）演算部
演算部１５は、判断部１４で空気調和機が必要と判断された所定エリアの熱負荷を演算する。なお、演算部１５は、空気調和機が不要と判断された所定エリアの熱負荷を演算してもよい。
【００６１】
演算部１５は、抽出部１２で抽出された寸法情報から、所定エリアの面積及び熱負荷を演算する。具体的には、寸法情報から、所定エリアの面積が得られる。この面積と、所定エリアで発生する熱量とに基づいて、演算部１５は熱負荷を演算する。
【００６２】
また、演算部１５は、部屋名に基づいて所定エリアの熱負荷を演算する。例えば、部屋名から、その部屋に収容される人数を推定して、その部屋で発生する熱量を演算する。あるいは、第１記憶部１３から第２情報を読み出して、第２情報に基づいて識別した部屋名から熱負荷を演算する。
【００６３】
また、演算部１５は、躯体情報に基づいて所定エリアの熱負荷を演算する。この場合、外気負荷、太陽輻射等を考慮して熱負荷を演算できる。
【００６４】
（２−７）算出部
算出部１６は、演算部１５で演算された熱負荷から、空気調和機の必要容量を算出する。必要容量により、設置する空気調和機の形、馬力、台数等に制限を設けることができる。なお、馬力とは、例えば、空気調和機の冷房能力及び暖房能力で示される。
【００６５】
（２−８）第２記憶部
第２記憶部２２は、複数の空気調和機の構成に関するリストを記憶する。リストは、提示する空気調和機に関する構成、及び／または、所定エリアの過去の空気調和機に関する構成を有している。提示する空気調和機に関する構成は、図５に示すように、提示する空気調和機としての室内機を選択するために、種々の室内機の形、寸法、馬力等の情報が記憶されている。なお、第２記憶部２２は、種々の室外機の形、寸法、馬力等の情報をさらに記憶してもよい。所定エリアの過去の空気調和機に関する構成は、図６に示すように、過去に設置されていた空気調和機に関する情報である。具体的には、所定エリアの過去の空気調和機に関する構成は、フロア情報及び部屋名が特定された所定エリアに設置されていた、空気調和機の形、寸法、馬力、台数等の情報である。
【００６６】
リストは、空気調和機の設置距離に関する情報を有してもよい。この情報は、提示する空気調和機に応じて定められた禁止設置距離に関する。なお、本実施形態の空気調和機は室内機である。
【００６７】
（２−９）提示部
提示部２３は、空気調和機が必要であると決定されたエリアに関する情報に基づいて、エリアに配備する空気調和機の配置を提示する。提示部２３は、所定エリアにおいて、形、馬力、台数等が特定された空気調和機をエリアのどの位置に配置するかを提示する。
【００６８】
本実施形態では、提示部２３は、平面図から取得したエリアに関する情報に基づいて、そのエリアに配備する空気調和機の配置を提示する。なお、平面図から取得したエリアに関する情報は、抽出部１２、判断部１４、演算部１５及び算出部１６からの情報を含む。
【００６９】
具体的には、提示部２３は、部屋名から演算された熱負荷に基づいて空気調和機の配置を提示する。詳細には、平面図から読み取られた部屋名を考慮して、演算部１５が演算した熱負荷に基づいて、提示部２３は空気調和機の配置を提示する。
【００７０】
また、提示部２３は、躯体情報から演算された熱負荷及びエリアに関する情報に基づいて、空気調和機の配置を提示する。提示部２３は、エリアに関する情報として、必要な情報を選択する。
【００７１】
また、提示部２３は、建物の立面図及び矩計図の少なくとも一方から取得したエリアに関する情報に基づいて、空気調和機の配置を提示する。具体的には、平面図に加えて、立面図及び矩計図の少なくとも一方から取得したエリアに関する情報に基づいて、提示部２３は、空気調和機の配置を提示する。
【００７２】
また、提示部２３は、平面図の名称と部屋名とを関連付けて、エリアに配備する空気調和機の配置を提示する。具体的には、平面図の名称からエリアの階を特定し、その階の部屋名を考慮して演算された熱負荷に基づいて、提示部２３は、空気調和機の配置を提示する。
【００７３】
提示部２３は、さらに算出部１６で算出された必要容量に基づいて、空気調和機の配置を提示する。具体的には、必要容量から、空気調和機の形、馬力、台数などを選択する。
【００７４】
提示部２３は、過去の空気調和機に関する構成から、提示する空気調和機の台数を算出し、算出された台数に基づいて空気調和機の配置を提示する。提示部２３は、第２記憶部２２から過去の空気調和機に関する構成のリストを読み出すことにより、そのエリアに設置されていた空気調和機の形、馬力、台数等が分かるので、その情報に基づいて設置する空気調和機の必要容量を算出できる。第２記憶部２２から提示する空気調和機に関する構成を読み出して、新たに提示する空気調和機のリストの中から、例えば形を選択すると、必要な空気調和機の馬力及び台数が算出される。この場合、所定エリアの熱負荷を演算しなくても、新たな空気調和機の台数などを提示することができる。また、提示部２３は、そのエリアに設置されていた空気調和機の形に関する情報に基づいて、新たに設置する空気調和機の形を選択することなく、同じ形の空気調和機を提示するようにしてもよい。
【００７５】
提示部２３は、空気調和機の設置距離に基づいて、空気調和機の配置を提示する。具体的には、第２記憶部２２から空気調和機の設置距離に関する情報を有するリストを読み出す。リストに基づいて、複数の空気調和機の間の距離を決める。オブジェクトとして柱、梁などを識別できる場合には、提示部２３は、これらの識別結果も考慮して、複数の空気調和機の配置を提示する。
【００７６】
ここで、図７〜図９を参照して、提示部２３が提示する空気調和機の配置の一例を挙げる。図７〜図９では、空気調和機として室内機を示す。平面視における所定エリアが図７に示す正方形及び図８に示す長方形の居室の場合、吹出方向が４方向である天井埋込型の室内機１００を互いに均一な距離で配備する配置を提示部２３は提示する。平面視における所定エリアが図１０に示す長方形の居室であり、オブジェクトとして照明１０１が識別される場合、吹出方向が２方向で、照明１０１の形状に合う複数の室内機１００を、照明１０１と並ぶように配備する配置を提示部２３は提示する。このように、提示部２３は、所定エリアの形状及び／または所定エリアに設置されている柱、梁及び／または照明１０１のレイアウトに基づいて、複数の室内機１００の配置を提示する。
【００７７】
なお、提示部２３は、人工知能（ＡＩ：artificial intelligence）を利用してもよい。この場合、文字、数値、オブジェクト、線種などを識別することができる学習済のものを用いる。学習の手法は、例えば教師あり学習である。教師あり学習で用いられるモデルまたはアルゴリズムとしては、回帰分析、時系列分析、決定木、サポートベクターマシン、ニューラルネットワーク、アンサンブル学習等が挙げられる。
【００７８】
（３）要否判断方法及び配置提示方法
図１〜図１０を参照して、一実施形態に係る空気調和機の要否判断方法及び配置提示方法を説明する。本実施形態の空気調和機の要否判断方法及び配置提示方法は、上述した空気調和機の要否判断システム１０及び配置提示システム２０を用いて行う。
【００７９】
（３−１）紙図面の入力
まず、図１０に示すように、建物の紙図面を入力する（ステップＳ１０）。紙図面は、特に限定されず、平面図などである。
【００８０】
（３−２）画像データへの変換
次に、変換部１１により、紙図面を画像データに変換する（ステップＳ２０）。
【００８１】
（３−３）線及び文字の少なくとも一方の情報の抽出
次に、抽出部１２により、画像データから線及び文字の少なくとも一方の情報を抽出する（ステップＳ３０）。
【００８２】
（３−４）空気調和機の必要なエリアか否かの判断
次に、判断部１４により、情報から部屋名及びオブジェクトの少なくとも一方を識別して、識別結果から建物内の所定エリアが空気調和機の必要なエリアか否かを判断する（ステップＳ４０）。
【００８３】
具体的には、抽出部１２で抽出された情報から、部屋名及びオブジェクトの少なくとも一方を識別できるか否かを判断する（ステップＳ４１）。この工程（Ｓ４１）において部屋名及びオブジェクトの少なくとも一方を識別できない場合には、自動で空気調和機の要否が判断できないとして、手入力により空気調和機の要否を判断する。
【００８４】
一方、工程（Ｓ４１）において部屋名及びオブジェクトの少なくとも一方を識別できる場合には、識別結果から建物内の所定エリアが空気調和機の必要なエリアか否かを判断する（ステップＳ４２）。この工程（Ｓ４２）では、上述したように、第１記憶部１３から第１情報を読み出して、第１情報に基づいて識別した部屋名から空気調和機の必要なエリアか否かを判断部１４により判断してもよい。
【００８５】
工程（Ｓ４２）において、空気調和機が必要か否かの判断ができない場合には、自動で空気調和機の要否が判断できないとして、手入力により空気調和機の要否を判断する。
【００８６】
工程（Ｓ４２）において、空気調和機が必要か否かの判断ができる場合には、空気調和機の要否を判断する（ステップＳ４３）。この工程（Ｓ４３）で、所定エリアが空気調和機の必要なエリアでないと判断されると、その判断が出力されて、システム１は終了となる。一方、所定エリアが空気調和機の必要なエリアであると判断されると、決定部２１により、所定エリアは空気調和機の必要なエリアであると決定される（ステップＳ５０）。
【００８７】
（３−５）空気調和機の配置の提示
次に、提示部２３により、空気調和機が必要と判断されたエリアに配備する空気調和機の配置を提示する（ステップＳ６０）。この工程（Ｓ６０）では、平面図から取得したエリアに関する情報に基づいて、空気調和機の配置を提示する。
【００８８】
このステップＳ６０では、図１１に示すように、所定エリアの過去の空気調和機に関する構成のリストの有無を判断する（ステップＳ６１）。なお、工程（Ｓ６１）において、図５に示すような所定エリアの過去の空気調和機に関する構成のリストがある場合とは、更新物件であり、過去の所定エリアの図面が入手できる場合である。一方、所定エリアの過去の空気調和機に関する構成のリストがない場合とは、更新物件であるが、過去の所定エリアの図面が入手できない場合、及び、新規物件の場合である。
【００８９】
（３−５−１）過去の空気調和機に関する構成のリストがある場合
第２記憶部２２は、所定エリアの過去の空気調和機に関する構成と、提示する空気調和機に関する構成とに関するリストを記憶している。提示部２３は、このリストを読み出して、過去の空気調和機に関する構成から、提示する空気調和機の台数を算出し、算出された台数に基づいて空気調和機の配置を提示する。具体的には、図６に示す過去の空気調和機に関する構成のリストから、そのエリアに設置されていた空気調和機の形、馬力、台数等が分かるので、空気調和機の必要容量が算出される（ステップＳ６２）。次いで、図５に示す新たに提示する空気調和機のリストの中から、例えば形を選択する（ステップＳ６３）。算出された必要容量及び形から、必要な空気調和機の馬力及び台数が算出される（ステップＳ６４）。したがって、提示部２３により、空気調和機の配置を提示できる（ステップＳ６５）。このように、過去の空気調和機に関する構成のリストがあると、所定エリアの熱負荷の演算を省略できる。
【００９０】
（３−５−２）過去の空気調和機に関する構成のリストがない場合
一方、過去の空気調和機に関する構成のリストがない場合、図１１に示すように、演算部１５により、所定エリアの熱負荷を演算する（ステップＳ６６）。次に、演算された熱負荷から、算出部１６により空気調和機の必要容量を算出する（ステップＳ６７）。これにより、提示部２３によって、空気調和機の配置を提示できる（ステップＳ６５）。
【００９１】
（４）特徴
（４−１）空気調和機の要否判断システム
本実施形態の空気調和機の要否判断システム１０では、平面図を画像データに変換することにより、建物内の所定エリアが空気調和機の必要なエリアか否かを判断するための情報を画像データから抽出することができる。判断部１４は、抽出した情報から部屋名及びオブジェクトの少なくとも一方を識別することにより、所定エリアが空気調和機の必要なエリアか否かを判断する。したがって、建物の平面図から建物内の所定エリアが空気調和機の必要なエリアか否かを効率良く判断できる。
【００９２】
特に、更新物件の場合には、ＣＡＤデータが入手できず、紙図面のみが存在する場合がある。紙図面のみ存在する更新物件の場合であっても、本実施形態の要否判断システム１０によれば、手作業を低減して、効率良く空気調和機の必要なエリアか否かを判断できる。
【００９３】
（４−２）空気調和機の配置提示システム
本実施形態の空気調和機の配置提示システム２０では、建物の平面図から、空気調和機の必要なエリアに関する情報を取得する。この情報に基づいて、エリアに配備する空気調和機を配置できる。このため、エリアに配備する空気調和機の設計作業における効率を向上できる。したがって、建物の平面図から建物内の所定エリアに配備する空気調和機を効率良く提示できる。
【００９４】
（４−３）全体のシステム
本実施形態のシステム１では、要否判断システム１０により、空気調和機の必要なエリアか否かを判断する。要否判断システム１０で判断された空気調和機の必要なエリアについて、配置提示システム２０により、空気調和機の配置を提示する。したがって、システム１は、建物の平面図から、空気調和機の必要なエリアに配備するレイアウトを効率良く提示できる。
【００９５】
（５）変形例
上述した実施形態に係る配置提示システム２０は、要否判断システム１０とともに用いられるシステム１としたが、これに限定されない。配置提示システム２０を要否判断システム１０から、独立したシステムとして用いてもよい。
【００９６】
また、抽出部１２及び提示部２３は、ＡＩを利用してもよいことを述べたが、システム１が備える判断部１４等の任意の構成も、ＡＩを利用してもよい。システム１における複数の構成がＡＩを利用する場合、複数のＡＩは、互いに連携してもよい。
【００９７】
（付記）
以上、本開示の実施形態を説明したが、特許請求の範囲に記載された本開示の趣旨及び範囲から逸脱することなく、形態や詳細の多様な変更が可能なことが理解されるであろう。
【符号の説明】
【００９８】
１    ：システム
１０    ：要否判断システム
１１    ：変換部
１２    ：抽出部
１３    ：第１記憶部
１４    ：判断部
１５    ：演算部
１６    ：算出部
２０    ：配置提示システム
２１    ：決定部
２２    ：第２記憶部（記憶部）
２３    ：提示部
【先行技術文献】
【特許文献】
【００９９】
【特許文献１】特開２０１４−１０７３２号
【図１】
2020194353.tif 000003
【図２】
2020194353.tif 000004
【図３】
2020194353.tif 000005
【図４】
2020194353.tif 000006
【図５】
2020194353.tif 000007
【図６】
2020194353.tif 000008
【図７】
2020194353.tif 000009
【図８】
2020194353.tif 000010
【図９】
2020194353.tif 000011
【図１０】
2020194353.tif 000012
【図１１】
2020194353.tif 000013
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
建物の平面図から建物内の所定エリアに配備する空気調和機の配置を提示する空気調和機の配置提示システム（２０）であって、
前記平面図から、空気調和機の必要なエリアを決定する決定部（２１）と、
前記平面図から取得した前記エリアに関する情報に基づいて、前記エリアに配備する空気調和機の配置を提示する提示部（２３）と、
を備え、
前記提示部（２３）は、空気調和機を前記エリアのどの位置に配置するかを提示する、空気調和機の配置提示システム。
【請求項２】
複数の空気調和機の構成に関するリストを記憶する記憶部（２２）をさらに備え、
前記提示部（２３）は、前記記憶部（２２）から前記リストを読み出して、さらに前記リストから選択された空気調和機の配置を提示する、請求項１に記載の空気調和機の配置提示システム。
【請求項３】
前記リストは、前記所定エリアの過去の空気調和機に関する構成と、提示する空気調和機に関する構成と、を有し、
前記提示部（２３）は、前記過去の空気調和機に関する構成から、前記提示する空気調和機の台数を算出し、算出された台数に基づいて空気調和機の配置を提示する、請求項２に記載の配置提示システム。
【請求項４】
前記リストは、空気調和機の設置距離に関する情報を有し、
前記提示部（２３）は、前記設置距離に基づいて、空気調和機の配置を提示する、請求項２または３に記載の空気調和機の配置提示システム。
【請求項５】
前記決定部（２１）は、前記エリアに関する情報として前記平面図から部屋名を読み取り、
部屋名に基づいて前記エリアの熱負荷を演算する演算部（１５）をさらに備え、
前記提示部（２３）は、演算された熱負荷に基づいて空気調和機の配置を提示する、請求項１〜４のいずれか１項に記載の空気調和機の配置提示システム。
【請求項６】
前記決定部（２１）は、建物の躯体情報を取得し、
前記躯体情報に基づいて前記エリアの熱負荷を演算する演算部（１５）をさらに備え、
前記提示部（２３）は、演算された熱負荷及び前記エリアに関する情報に基づいて空気調和機の配置を提示する、請求項１〜５のいずれか１項に記載の空調の配置提示システム。
【請求項７】
前記決定部（２１）は、建物の立面図及び建物の矩計図の少なくとも一方から前記エリアに関する情報をさらに取得し、
前記提示部（２３）は、前記エリアに関する情報に基づいて空気調和機の配置を提示する、請求項１〜６のいずれか１項に記載の空気調和機の配置提示システム。
【請求項８】
前記提示部（２３）は、前記平面図の名称と部屋名とを関連付けて、前記エリアに配備する空気調和機の配置を提示する、請求項１〜７のいずれか１項に記載の空気調和機の配置提示システム。
【請求項９】
前記平面図を画像データに変換する変換部（１１）と、
前記画像データから線及び文字の少なくとも一方の情報を抽出する抽出部（１２）と、
抽出された情報から部屋名及びオブジェクトの少なくとも一方を識別して、識別結果から建物内の所定エリアが空気調和機の必要なエリアか否かを判断する判断部（１４）と、
をさらに備え、
前記決定部（２１）は、前記判断部（１４）で空気調和機の必要なエリアと判断されたエリアを、前記エリアと決定する、請求項１〜８のいずれか１項に記載の空気調和機の配置提示システム。
【請求項１０】
前記提示部（２３）は、前記判断部（１４）が前記オブジェクトを識別した場合、前記エリアにおける前記オブジェクトを考慮して、空気調和機の配置を提示する、請求項９に記載の配置提示システム。
【請求項１１】
前記提示部（２３）は、前記所定エリアが平面視において長方形の居室であり、前記判断部（１４）が前記オブジェクトとして照明を識別した場合、吹出方向が２方向の複数の室内機を、照明と並ぶように配備する配置を提示する、請求項９または１０に記載の配置提示システム。
【請求項１２】
前記抽出部（１２）は、前記エリアの寸法情報を、前記情報として抽出し、
前記寸法情報から前記エリアの面積及び熱負荷を演算する演算部（１５）をさらに備える、請求項９〜１１のいずれか１項に記載の空気調和機の配置提示システム。
【請求項１３】
演算された熱負荷から、空気調和機の必要容量を算出する算出部（１６）をさらに備え、
前記提示部（２３）は、さらに算出された必要容量に基づいて、空気調和機の配置を提示する、請求項１２に記載の空気調和機要否判断システム。
【請求項１４】
前記提示部（２３）は、前記所定エリアが平面視において正方形及び長方形の居室の場合、吹出方向が４方向である天井埋込型の室内機を互いに均一な距離で配備する配置を提示する、請求項１〜１３のいずれか１項に記載の配置提示システム。